(57)【要約】【課題】球止め操作を任意で行うようにすると、球払出装置の取外し時に球止め操作のし忘れにより球零れが発生しパチンコ球を散乱させる。【解決手段】パチンコ球を整列して流下させる供給樋７と、前記供給樋７の流下端に着脱自在に設けられる球払出装置１０と、前記球払出装置１０を被覆自在に設けられるカバー体４２と、前記供給樋７の流下端近傍に設けられ前記カバー体４２を係止する操作部材５０とを備え、前記操作部材５０は、前記カバー体４２を係止する位置とその係止状態を解除する位置とに変位自在に設けられ、前記係止状態が解除されたときに前記供給樋７内に突入して該供給樋７内のパチンコ球の流下を阻止する球止部６５を形成した。【選択図】図５
2004275744.tif 000002
【特許請求の範囲】
【請求項１】
パチンコ球を供給する供給樋と、前記供給樋の流下端に着脱自在に設けられる球払出装置と、前記球払出装置を被覆自在に設けられるカバー体と、前記供給樋の流下端近傍に設けられ前記カバー体を係止する操作部材とを備え、
前記操作部材は、前記カバー体を係止する位置とその係止状態を解除する位置とに変位自在に設けられ、前記係止状態が解除されたときに前記供給樋内に突入して該供給樋内のパチンコ球の流下を阻止する球止部を形成したことを特徴とするパチンコ遊技機。
【請求項２】
パチンコ球を供給する供給樋と、前記供給樋の流下端に着脱自在に設けられる球払出装置と、前記供給樋の流下端近傍に設けられ前記球払出装置を係止する操作部材とを備え、
前記操作部材は、前記球払出装置を係止する位置とその係止状態を解除する位置とに変位自在に設けられ、前記係止状態が解除されたときに前記供給樋内に突入して該供給樋内のパチンコ球の流下を阻止する球止部を形成したことを特徴とするパチンコ遊技機。
【請求項３】
前記操作部材の係止位置と係止解除位置とを位置決めする位置決め手段を設けたことを特徴とする請求項１又は２記載のパチンコ遊技機。
【発明の詳細な説明】
【技術分野】
【０００１】
本発明は、パチンコ遊技機に関し、特に球払出装置が着脱自在に装着されたパチンコ遊技機に関するものである。
【背景技術】
【０００２】
従来、パチンコ遊技機の遊技盤裏面には周知のように合成樹脂製の機構板が装着されている。この機構板の裏面上部には球タンクが固着され、該球タンクの下方に球タンクに貯留されたパチンコ球を下流側に整列しながら流下させる球誘導樋が設けられており、該球誘導樋の流下端には球払出装置が着脱自在に設けられている。また、この球払出装置は、何らかの要因で故障したときに取外して修理又は交換しなければならず、該球払出装置を外した際に球誘導樋から球が零れ落ちないように球止部材が設けられている。そして、球誘導樋又は球払出装置は、保護及び不正防止のためにカバー体によって覆われているものもある。（例えば、特許文献１及び特許文献２参照。）。
【特許文献１】特開平６−１８２０４２号公報（第４−５頁、図２及び図９）
【特許文献２】特開２０００−３３１６０号公報（第１２頁、図２及び図３）
【発明の開示】
【発明が解決しようとする課題】
【０００３】
しかしながら、特許文献１のパチンコ遊技機は、球止め操作を任意で行わなければならず、球払出装置の取外し時に操作をし忘れると球零れが発生しパチンコ球を散乱させるという問題がある。しかも、球止め解除操作をし忘れると遊技に支障をきたし遊技客に迷惑をかけるという問題もある。また、特許文献２パチンコ遊技機は、前記球止部材を材質の弾性特性を利用して球止めしているので、その弾性劣化又は球圧等により確実な球止めができなくなることがある。さらに、両文献のパチンコ遊技機は、カバー体も別の係止手段により装着されており、球払出装置の近傍に位置するにも関わらず部品点数が増加しコストアップの原因ともなっていた。
【０００４】
そこで、本発明は上記した課題を解決するためになされたもので、球払出装置の取着時に操作する操作部材に球零れを防ぐ球止手段を設け、必然的な操作により確実な球止めが可能なパチンコ遊技機を提供することを目的とするものである。
【課題を解決するための手段】
【０００５】
上記した目的を達成するために、請求項１記載の発明は、パチンコ球を供給する供給樋と、前記供給樋の流下端に着脱自在に設けられる球払出装置と、前記球払出装置を被覆自在に設けられるカバー体と、前記供給樋の流下端近傍に設けられ前記カバー体を係止する操作部材とを備え、前記操作部材は、前記カバー体を係止する位置とその係止状態を解除する位置とに変位自在に設けられ、前記係止状態が解除されたときに前記供給樋内に突入して該供給樋内のパチンコ球の流下を阻止する球止部を形成したことを特徴とする。球タンクに貯留されるパチンコ球を整列して流下させる供給樋の流下端に球払出装置が着脱自在に設けられ、前記球払出装置を覆うカバー体を操作部材で係止するようにしたパチンコ遊技機であって、前記操作部材は、前記カバー体を係止する係止部と、前記供給樋内に突入してパチンコ球を球止する球止部とを備え、前記カバー体の係止状態を解除すると前記球止部が供給樋内に突入して球止状態となり、前記カバー体の係止状態で前記球止部が供給樋内から退避して球誘導樋をパチンコ球が流下し得るようにした。ここでいう「カバー体」とは、球払出装置のみを覆うものに限られることなく、球払出装置から払出されたパチンコ球を前面枠の前面の打球供給皿に導く排出通路及び打球供給皿の余剰球を下部球皿に導く余剰球通路又は球抜樋を覆うカバー体であっても、基板が設けられるカバー体であってもよく、大きさ，用途等に限定されるものではない。
【０００６】
請求項２記載の発明は、パチンコ球を供給する供給樋と、前記供給樋の流下端に着脱自在に設けられる球払出装置と、前記供給樋の流下端近傍に設けられ前記球払出装置を係止する操作部材とを備え、前記操作部材は、前記球払出装置を係止する位置とその係止状態を解除する位置とに変位自在に設けられ、前記係止状態が解除されたときに前記供給樋内に突入して該供給樋内のパチンコ球の流下を阻止する球止部を形成したことを特徴とする。前記操作部材は、前記球払出装置を係止する係止部と、前記供給樋内に突入してパチンコ球を球止する球止部とを備え、前記操作部材を操作して前記球払出装置の係止状態を解除すると前記球止部が供給樋内に突入し球止状態となり、前記球払出装置の係止状態で前記球止部が供給樋内から退避し供給樋をパチンコ球が流下し得るようにした。
【０００７】
請求項３記載の発明は、請求項１又は２記載の発明において、前記操作部材の係止位置と係止解除位置とを位置決めする位置決め手段を設けたことを特徴とする。前記位置決め手段は、例えば前記操作部材の係止部の下面に突子を突設し、一方、カバー体又は球払出装置の上面に凹欠きを設けて該凹欠きに前記突子を嵌合させることで位置決めがなされる。前記操作部材の係止位置と解除位置とを位置決めする位置決め手段を設けることにより、確実な係止状態と係止解除状態つまり球止め状態とすることができる。
【０００８】
パチンコ球を供給する供給樋と、前記供給樋の流下端に着脱自在に設けられる球払出装置と、前記供給樋の流下端近傍に設けられ前記球払出装置を係止する操作部材とを備え、前記操作部材は、球払出装置を係止する係止部と前記供給樋内に突入して該供給樋内のパチンコ球の流下を阻止する球止部とを有し、前記球払出装置を係止する位置とその係止状態を解除する位置とに変位自在に設けられ、前記球払出装置を係止する位置で前記球止部は供給樋から後退し、その係止状態を解除された状態で球止部が前記供給樋内に突入して該供給樋内のパチンコ球の流下を阻止するようにするのが好ましい。
【０００９】
前記操作部材は、通路に対して回動式であっても前後又は左右，斜め方向のスライド式であってもよく、係止位置と係止解除位置とに変位自在に設けられればよい。
【００１０】
また、球払出装置の着脱を上下方向の係脱により行い、その下方に前記球払出装置の脱落を阻止する通路枠を開閉又は取外し自在に設けるのが好ましい。ここでいう「通路枠」とは、球払出装置で払出されたパチンコ球が排出樋に放出される際に通過する部材であり、何等形状に限定されるものではない。
【００１１】
前記した本発明の構成によれば、球払出装置の取外し時に必ず操作される操作部材に球止め機能を付加して、確実な球止めが行われるようにした。例えば球払出装置を覆うカバー体が設けられている場合には、球払出装置を取外す際にはカバー体を外さなければならず、その係止を解除する操作部材を操作すると球止部が供給樋の供給通路に臨み球止めを行い球零れを防止する。逆に球払出装置を装着してカバー体を係止すると、球止部が供給通路から後退し球払出装置にパチンコ球が供給可能となる。このように、球払出装置の着脱時に必ず開閉又は脱着されるカバー体の係止・解除により確実に球止め・解除を行うことができる。
【００１２】
また、操作部材に係止部と球止部を別途設けることなく、球止部と係止部とを兼用させるようにしてもよい。このとき、球払出装置又はカバー体に、球止部と係止部との兼用部材と係合する係合部を設けるようにすればよい。
【００１３】
前記操作部材に供給樋を取付け固定する係止部を設けるようにしてもよく、該操作部材は前記カバー体又は球払出装置を係止する位置とその係止状態を解除する位置と供給樋を係止する位置とに変位自在に設けられ、前記カバー体又は球払出装置の係止状態が解除されたときに前記供給樋内に突入して該供給樋内のパチンコ球の流下を阻止する球止部を形成するようにすればよい。
【００１４】
前記供給樋は傾斜状に設けられる傾斜樋と屈曲状に設けられる屈曲樋とで構成され、前記傾斜樋の流下端近傍に設けられ前記屈曲樋を着脱自在に係止する操作部材を設け、前記操作部材は、前記屈曲樋を係止する位置とその係止状態を解除する位置とに変位自在に設けられ、前記係止状態が解除されたときに前記傾斜樋内に突入して該傾斜樋内のパチンコ球の流下を阻止する球止部を形成するようにしてもよい。
【発明の効果】
【００１５】
本発明に係るパチンコ遊技機によれば、パチンコ球を整列して流下させる供給樋と、前記供給樋の流下端に着脱自在に設けられる球払出装置と、前記供給樋の流下端近傍に設けられ前記球払出装置を係止する操作部材とを備え、前記操作部材は、前記球払出装置を係止する位置とその係止状態を解除する位置とに変位自在に設けられ、前記係止状態が解除されたときに前記供給樋内に突入する球止部を形成したので、球払出装置の取着時の必然的な操作により確実に球止めができパチンコ球が外へ零れ落ちることはない。しかも、球払出装置を装着すると球止めも解除され球止め解除のし忘れもなく遊技に支障をきたすことがない。また、当然従来のように球払出装置を固定保持するためのロック部材と、該球払出装置を外した際にパチンコ球が零れ落ちないようにするための球止め部材とを別々に設ける必要がなくなり、部品点数を削減してコストダウンを図ることができると共に、作業能率を向上することができる。
【実施例１】
【００１６】
次に、本発明の一実施の形態を図面を参照して説明する。図１はパチンコ遊技機の裏面図である。図において、１はパチンコ遊技機の外枠、２は外枠１の前面に開閉自在に装着される前面枠であり、該前面枠２は金属板のプレス加工により形成され裏面側に遊技盤取付枠３が一体に設けられている。４は遊技盤取付枠３に着脱自在に取着された遊技盤である。
【００１７】
前記前面枠２は、前記遊技盤４の後面が臨む開口窓５が開設され、該開口窓５の上方に球タンク６が固着されている。球タンク６の下方には、該球タンク６に貯留されたパチンコ球を整列して球払出装置１０に導く供給樋としての球誘導樋７が設けられている。球誘導樋７は前記開口窓５の上方に位置する傾斜樋８と開口窓５の側方に位置する屈曲樋９とで構成され、傾斜樋８は前記球タンク６と共に前面枠２に直接設けられており、従来合成樹脂製の機構板を介して設けられたものに比べアース処理をしやすくしている。そして、その下流側の屈曲樋９は球払出装置１０と共に払出ユニット１１を構成し、図６に示すようにベース板１２に開閉自在に軸支１４されており、自由端を係止具１３により係止するようにしている。また、その下方のベース板１２には、球払出装置１０から払出されたパチンコ球を図示しない前面枠２の前面の打球供給皿に導く排出通路１５と、打球供給皿の余剰球を下部球皿に導く余剰球通路１６が形成され、その上面に払出制御基板１７が開閉自在に取着されている。一方、前記開口窓５の下方には入賞球集合樋１８が設けられ、その裏面に遊技内容を制御する制御主基板１９が設けられている。前記係止具１３はＬ字状に形成され、屈曲部を軸支２０して回動自在に設けられている。そして、一端に係止凹部２１が形成されベース板１２に設けられた係止ピン２２に係合するようにしている。
【００１８】
前記ベース板１２の上部には主電源基板２５が設けられ、その下方に図６に示すように溝状の配線収納溝２６が削設されている。そして、図６鎖線に示すようにその開放側を閉塞するように前記払出ユニット１１が設けられ、煩わしい配線処理を容易として見栄えもよくしている。
【００１９】
前記球タンク６は、図２及び図３に示すように上面が開放した箱状をしており、両側壁に取付片２７が設けられている。そして、一側に下傾する底部下流に導出口２８が形成され、上流側内側壁に球貯留量を調節する調節溝２９が適宜間隔で設けられている。また、球タンク６の前側壁にはパチンコ球が飛び出さないようにするための球零れ防止部材３０が嵌着自在に設けられ、該球零れ防止部材３０の一端を折曲して前記調節溝２９に着脱自在な仕切り部材３０ａとしている。なお、前側壁側の下流側コーナー部を湾曲状に形成して、導出口２８への流出を促進すると共に、前記貯留量の変更に伴う球零れ防止部材３０の移動調節を可能としている。このように球貯留量を調節することにより所望の入賞率（スランプ状態）の変化周期間隔とすることができる。また、前記球タンク６は、前面枠２の裏面に形成された取付枠３１に上方から嵌めるように、球タンク６の取付片２７下面に形成された係止片３３を前記取付枠３１の底部に形成された開口３４に係止して取着される。
【００２０】
前記球誘導樋７の傾斜樋８は、図２及び図３に示すように仕切壁３２によりパチンコ球が整列して流下する２条の球通路８ａ，８ａを有し、下流側を前記ベース板１２に軸着１２ａし、上流部の取付枠３５にギア及びストッパで構成される傾斜角調整機能３６により傾動自在に取着される。また、球タンク６の導出口２８の下方に位置する上流部は、下流側より傾斜角度のきつい傾斜路として、該傾斜路に球切れスイッチを設けている。なお、傾斜樋８の底部から前壁を支持するように前記開口窓５上縁から屈曲片３７を延設して、傾斜樋８の撓みを防止するようにしている。そして、下流側上面に球均し蓋３８が設けられると共に、傾斜樋８の終端に臨むように球止め部材３９が回動自在に設けられている。なお、傾斜樋８の上流前面側は前記球タンク６の下流前面側と同様に湾曲状に形成されている。
【００２１】
前記払出ユニット１１は、図５に示すように屈曲樋９及び球払出装置１０からなり、屈曲樋９の裏板４０を基板として、該裏板４０に球払出装置１０が着脱自在に設けられている。前記屈曲樋９は、基板となる裏板４０に供給通路９ａ，９ａを構成する中枠４５と表板４６とで構成されている。また、供給通路９ａの下端には後述する球止片６５が進退する窓孔４８がパチンコ球の流下に支障のない位置に開設されている。そして、屈曲樋９の流下端近傍に位置する表板４６及び裏板４０には、後述する操作部材５０が回動自在に取着される軸部５１が一側開放した中空状に形成され、開口部５１ａは中心の直径より幅狭に形成されている。また、裏板４０には球払出装置１０の取着部５２が形成され、下方に通路枠５３を介して前記球払出装置１０を覆い保護するカバー体４２が、上部開放端が屈曲樋９下端とほぼ合致するように開閉自在に軸支４３されている。そして、該カバー体４２の上部開放端を、屈曲樋９の下端近傍に設けられる操作部材５０により係止している。なお、カバー体４２の上部開放端を屈曲樋９下端と重合するようにしてもよく、該重合部に係止部６６が係止するようにすればよい。また、カバー体４２は、球払出装置１０を被覆自在に着脱し得るようにしてもよい。
【００２２】
前記球払出装置１０は、図７に示すように通路部５４を形成したケース体５５と、パチンコ球を１個ずつ受け入れて払出す払出回転体５６と、電気的駆動源として駆動モータ５７とにより大略構成される。ケース体５５には、屈曲樋９の供給通路９ａ，９ａに接続する２条の流入通路５４ａ，５４ａがそれぞれ形成されている。前記駆動モータ５７はケース体５５に取付けられており、これの出力軸に前記払出回転体５６が固着されている。前記払出回転体５６は、それぞれの流入通路５４ａ，５４ａに対応してパチンコ球を受け入れる凹歯５９とパチンコ球を受ける凸歯６０を形成したスプロケットを半ピッチずらして設けている。この実施の形態において凹歯５９及び凸歯６０がそれぞれ３箇所に設けられており、１回転で６個のパチンコ球が払出される。６１は、払出回転体５６の回転によって払出されるパチンコ球を検出する検出センサであり、発光部と受光部を有する光学式センサである。
【００２３】
前記操作部材５０は、図４に示すように円板状の基板部６２から支軸６３が突設されると共に、該支軸６３の先端側方に、屈曲樋９の供給通路９ａ，９ａに進退する球止部としての球止片６５，６５が形成され、基板部６２の一側外方に（この実施の形態において前記球止片６５と同じ方向）に係止部としての係止片６６が突設され、前記基板部６２の前面に操作部としての摘み片６７が一体に形成されている。また、係止片６６の裏面に、位置決め手段としての突子６８が突出形成され、前記カバー体４２及び表板４６に形成される凹欠き４２ａ，４６ａに嵌入して、操作部材５０の回動を規制し位置決めする。前記支軸６３は、前記軸部５１の内径と略同一寸法に設定されている。７０は支軸６３に設けられるフランジであり、軸部５１に装着した際の軸方向への抜け止めの役割をなす。なお、前記球止片６５は供給通路９ａに進入した際に、該供給通路９ａに並ぶパチンコ球間に突入するようにその形状，大きさが設定されるのが好ましい。しかし、通路幅又は球払出装置の構造（リードスクリュー）の関係で球の停止位置が必ずしも一定ではないため、球止片６５が供給通路９ａに進入した際に、パチンコ球に衝止して完全に進入しきれないことがないように、窓孔４８より上方の通路部（好ましくは球止片が進入する対向面）を僅かに膨出状にして球逃げ部を形成し、球止片６５が進入した際に衝止したパチンコ球を、前記球逃げ部に逃すようにして、確実に球止片６５を進入させて球止めするのがよい。
【００２４】
次に、前記操作部材５０を屈曲樋９に取付けるには、まず操作部材５０の支軸６３を前記軸部５１の開口部５１ａに押し当て嵌着させ、これにより操作部材５０が裏板４０に対して直交するように軸部５１に取付けられ、前記カバー体４２を係止する位置とその係止状態を解除する位置とに変位自在に設けられる。そして、前記球払出装置１０を取着するときには、前記突子６８は図５鎖線に示す表板４６の凹欠き４６ａに嵌入して、球止片６５が図７鎖線に示す前記窓孔４８から供給通路９ａ内に突入しており、該供給通路９ａのパチンコ球の流下を阻止する状態にある。この状態で、前記球払出装置１０を前記裏板４０の取着部５２にビス着することにより取着する。次に、カバー体４２により球払出装置１０を覆い、図５実線に示すように摘み片６７を反時計回り方向に９０°回動することにより、前記突子６８が凹欠き４６ａから外れ、前記球止片６５が供給通路９ａから退避し、パチンコ球が流下し得る状態になると共に、前記係止片６５がカバー体４２上面に係止し、突子６８が凹欠き４２ａに嵌入し位置決めされてその状態を保持する。そして、球タンク６のパチンコ球が傾斜樋８及び屈曲樋９を介して球払出装置１０に供給される。
【００２５】
次に、保守・交換のために球払出装置１０を外すには、図５実線位置から操作部材５０の摘み片６７を摘んで時計回り方向に９０°回動して図５鎖線位置に変位させ、前記突子６８を凹欠き４２ａから外し、前記係止片６６をカバー体４２上面から後退させると、カバー体４２が開放可能状態になると共に、球止片６５が図７鎖線に示すように窓孔４８から供給通路９ａに突入して該供給通路９ａのパチンコ球を球止めする。この状態で、カバー体４２を開放して球払出装置１０を露呈させ、取着しているビスを外すことで球払出装置１０が取外される。このとき、球止片６５により屈曲樋９のパチンコ球が球止めされているので球零れを起し散乱することはない。このように、球払出装置１０を外す際には、必ずカバー体４２を開放させるために操作部材５０を回動操作させることになり、それに伴い球止片６５が供給通路９ａ内に進入して球止状態となるので球零れの心配はない。しかも、カバー体４２を係止すれば必然的に球止め解除されるので、球止解除をし忘れることがないため、パチンコ球が供給されず賞球等が払出されないということが起こらず遊技者に迷惑をかけることがない。なお、この実施の形態において球払出装置１０の取着手段をビス着としたが、取着手段は何等限定されるものではなく、係止爪等により取着してもよい。
【００２６】
また、カバー体４２を球払出装置１０のみを覆うようにしたが、屈曲樋９も同時に覆うようにしてもよい。このとき、カバー体４２には操作部材５０がカバー体４２を外す状態であり球止片６５が供給通路９ａ内に進入した状態で、基板部６２及び球止片６５からなる頭部の形状にほぼ合致し、該基板部６２及び球止片６５が通過し得る開口（実施の形態では鍵状穴）を開設し、カバー体４２の閉鎖時に該開口から操作部材５０が臨むようにして、該開口から臨んだ操作部材５０を操作（回動）して、係止片６５を開口縁に係止させることでカバー体４２を取外し不能状態に係止することができる。また、操作部材５０を裏板４０に対して直交して回動自在に設けるようにしたが、裏板４０に対して水平に軸支して回動自在に設けるようにしてもよい。
【００２７】
図８乃至図１１は他の実施の形態を示す。前記実施の形態と異なる点は操作部材をスライド自在とした点と球払出装置の取付方法にあり、前記実施の形態と同じ構成要素には同一符号を付して説明する。この実施の形態における球払出装置１０の取着手段は、上下方向のスライド式であり、図１０に示すようにケース体５５の上方に突片７３が形成され、該突片７３に対応するように裏板４０に嵌合凹部７４が形成されている。そして、カバー体４２が軸着４３された通路枠５３が裏板４０に水平方向に回動自在に軸支７５されており、自由端に設けられた係合片７６を裏板４０に形成される係合部７７に係合させることで固定される。この軸支方向は、図１１鎖線に示すように払出ユニット１１の軸止部１４と相対する側に軸支７５されており、払出ユニット１１の開放時においても通路枠５３を開放し易いようにしている。
【００２８】
そして、操作部材５０は図８及び図９に示すように前記実施の形態とほぼ同じ構成であり、異なる点は、カバー体４２を係止する係止部としての係止片６６が球止片６５とほぼ９０°ずらした方向に突設されている点である。そして、屈曲樋９の表板４６及び裏板４０には前記軸部５１に換えて長孔７８及び長溝７９が形成され、そのほぼ中央に操作部材５０の支軸６３が臨む開口部７８ａ，７９ａが該支軸６３の径より若干狭く開設されている。また、長孔７８及び長溝７９の両側には前記開口部７８ａ，７９ａと同様に支軸６３の直径より若干狭い狭窄部８０を形成して操作部材５０の位置決めとしている。なお、長孔７８はリブを周設することにより補強している。前記操作部材５０を装着するには前記実施の形態と同様に、開口部７８ａ，７９ａに支軸６３を臨ませて押し込むことで長孔７８及び長溝７９に摺動自在に装着される。そして、一方（図上左側）の狭窄部８０ａに支軸６３を押し付けることで、球止片６５が窓孔４８から供給通路９ａ内に進入して球止めする初期位置に位置決めされる。なお、カバー体４２の上部には、前記操作部材５０の初期位置の係止片６６に合致する切欠き８１が形成されている。
【００２９】
次に、球払出装置１０の装着について説明する。まず、前記操作部材５０の初期位置状態で、カバー体４２が開放され図１１鎖線に示すように前記通路枠５３を開放した状態で球払出装置１０の突片７３を、図１０に示すように嵌合凹部７４に下方から挿入して流入通路５４ａを供給通路９ａに合致させ、次に前記通路枠５３を回動して係合片７６を係合部７７に係合させて固定することで、球払出装置１０の下方への移動を阻止して取着部５２に取着される。そして、図１０に示すようにカバー体４２を球払出装置１０を覆うように閉塞して、図８鎖線に示すように切欠き８１を係止片６６に合致させる。この状態で操作部材５０の摘み片６７を操作して、支軸６３を狭窄部８０ａを介して長孔７８に沿って図８実線及び図９鎖線位置にスライドして変位させると、操作部材５０は他方の狭窄部８０ｂを越して位置決め固定され、球止片６５が供給通路９ａから退避してパチンコ球が流下可能となると共に、係止片６６がカバー体４２上面に臨んで係止してカバー体４２を開放不能状態とする。
【００３０】
次に、球払出装置１０を取外すには、まずカバー体４２を係止している操作部材５０の摘み片６７を操作して、狭窄部８０ｂから支軸６３を外して、図９鎖線位置から実線位置に長孔７８に沿ってスライドさせて、他方の狭窄部８０ａに支軸６３を押し込むと、図８鎖線に示すように係止片６６がカバー体４２上面から外れて切欠き８１位置に変位してカバー体４２が開放可能となると共に、図９実線に示すように球止片６５が窓孔４８から供給通路９ａ内に進入して球止状態となる。この状態でカバー体４２を開放して球払出装置１０を表出させ、通路枠５３の係合片７６と係合部７７の係合を解除して図１１鎖線に示すように通路枠５３を開放する。すると、球払出装置１０の下方を支持していた通路枠５３が後退して、球払出装置１０が下方に移動可能となり、球払出装置１０を下方に移動させることで突片７３が嵌合凹部７４から抜脱して球払出装置１０を取外すことができる。このとき、操作部材５０の球止片６５が供給通路９ａ内に進入しているため、球零れを起すことはない。
【００３１】
また、前記操作部材を前後方向（軸方向）に進退自在に設けるようにしてもよく、例えば操作部材は前記第２実施の形態に示した操作部材のように、球止片６５と係止片６６をほぼ９０°ずらした位置に設け、前記球止片６５が供給通路９ａの後面側から進退するように支軸６３方向に変位自在に設ける。そして、球払出装置１０の取付け時には操作部材５０を手前に引いて、球止片６５が供給通路９ａに進入して球止状態にあり、球払出装置１０を取付部５２と係止片６６間に臨ませた状態で操作部材５０を支軸６３方向に押し込むと、係止片６６が球払出装置１０の上面に圧接して球払出装置１０を固定すると共に球止片６５が供給通路９ａから後退しパチンコ球が流下し得る状態となる。また、球払出装置１０の取外し時は、逆に操作部材５０を軸支６３方向に引っ張り、球止片６５を供給通路９ａ内に進入させて球止めすると共に、係止片６６が球払出装置１０の係止を解除して取外すことができる。
【００３２】
次に、操作部材５０を球払出装置１０の取着用として使用した実施の形態について説明する。なお、前記実施の形態と同じ構成要素には同一符号を付して説明する。この実施の形態において、図１２及び図１３に示すように前記通路枠５３の前面に位置する裏板４０に、球払出装置１０の下部に形成された差込片８８を保持する保持枠８５が設けられており、球払出装置１０は該保持枠８５と操作部材５０とで取着される。そして、操作部材５０は、前記第１実施の形態の操作部材とほぼ同一であり、異なる点は突子６８に換えて係止片６６の下面を圧接しやすいように山形状に突出して形成しており、前記カバー体４２及び表板４６に位置決め片８６が設けられる。
【００３３】
前記操作部材５０の取付けは、前記実施の形態と同様に支軸６３を前記軸部５１の開口部５１ａに押し当て嵌着させることにより回動自在に取付けられる。そして、球止片６５が前記窓孔４８から供給通路９ａ内に突入し、係止片６６が屈曲樋９の表板４６の上面に位置する状態にさせる。次に、球払出装置１０の取付けは、まず下方の差込片８８を保持枠８５に保持させ、前記裏板４０の取着部５２に位置させる。この状態で、操作部材５０の摘み片６７を図１２鎖線位置から実線位置に回動することにより、図１３に示すように前記係止片６６が球払出装置１０のケース体５５上面に臨み、山形状の下面によりケース体５５を圧接するように係止して取付けられ、同時に前記球止片６５が供給通路９ａから後退してパチンコ球が流下し得る状態になる。このとき、係止片６６は位置決め片８６に衝止して位置決めされてその状態を保持する。
【００３４】
次に、保守・交換のために球払出装置１０を外すには、操作部材５０の摘み片６７を摘んで図１２実線位置から鎖線位置に９０°回動させ、前記係止片６６を球払出装置１０上面から屈曲樋９の表板４６上面に後退させると、球払出装置１０が取外し可能状態となり、球止片６５が窓孔４８から供給通路９ａに突入して供給通路９ａのパチンコ球を球止めする。この状態で、球払出装置１０を取外しても、球止片６５により屈曲樋９のパチンコ球が球止めされているので零れることはない。このように、球払出装置１０を外す際には必ず操作部材５０を回動させるため、球止片６５が確実に供給通路９ａ内に進入して球止状態となるので、球零れの心配はない。また、取付け後には必ず球止片６５が供給通路９ａから後退した位置にあるので、球止状態のままで払出しがされず遊技客に迷惑をかけることはない。逆に球払出装置１０を確実に取付け状態にしないと球止片６５が完全に後退せず、球払出装置１０にパチンコ球が供給されることはないので、球払出装置１０の取付け確認手段ともなる。
【００３５】
なお、実施の形態において操作部材５０を屈曲樋９に設けるようにしたが、屈曲樋９を覆うように設けられるカバー体４２に設けるようにしてもよい。また、球止片６５をそれぞれの供給通路９ａに応じて設けるようにしたが、１つの球止片により複数の供給通路の球止めを同時に行うようにしてもよい。
【００３６】
また、操作部材５０を一体ものとして、該操作部材５０を回動又は摺動する軸部５１又は長孔７８に開口部５１ａ，７８ａを開口して嵌め込むようにしたが、操作部材５０を分割形成して開口部５１ａ，７８ａを開口することなく軸部５１又は長孔７８に支軸６３を挿通後、分割形成した操作部材をビス等の組付け手段により一体化するようにしてもよい。さらに、操作部材を基板部６２に球止片６５を突設して形成するようにしたが、特に操作部材を回動式とした場合には、図１４に示すように前記実施の形態の基板部６２と球止片６６と摘み片６７とを兼備える頭部９２を、該頭部９２が支軸６３を中心として回動した軌跡が、頭部９２を軸方向に投影してなる投影部より大となる形状（支軸６３を中心とした真円形以外の変形形状）とし、該頭部９２の変形下面を係止部６６ａとして、回動時に該係止部６６ａがカバー体４２又は球払出装置１０に係止するようにしてもよい。前記頭部９２は例えば図に示す菱形であり、直方体，楕円であってもよい。また、前記実施の形態において操作部材５０に係止部と球止部を別途設けるようにしたが、球止部と係止部とを兼用させるようにしてもよい。このとき、球払出装置１０又はカバー体４２に、球止部と係止部との兼用部材と係合する係合部を設けるようにすればよい。なお、操作部材５０の変位角度を９０°として説明したが、その変位角度は必ずしも限定されることはなく任意に設定可能であり、回動方向も限定されるものではない。
【００３７】
図１５乃至図１７は、操作部材に屈曲樋９の取付けを兼備えた実施の形態を示す。この実施の形態においては、払出ユニット１１の係止具を兼備えるものとして説明する。なお、前記実施の形態と同じ構成要素には同一符号を付して説明する。操作部材５０は、図１５に示すように球止片６５と相対する側にカバー体４２を係止する係止片６６を設け、支軸６３の先端の係止片６６側にベース板１２に係止する係止片６６ｂが設けられる。そして、ベース板１２には前記係止片６６ｂが挿通し得る開口１２ｂが開設されており、図上係止片６６ｂが上向き状態で挿通し得るように鍵穴状に形成されている。
【００３８】
先ず、操作部材５０を前記係止片６６ｂが裏板４０後方に突出するように軸部５１に軸着する。そして、該係止片６６ｂを上向き状態に回動して、開放状態の払出ユニット１１をベース板１２に閉じるように装着すると、前記係止片６６ｂが開口１２ｂからベース板１２裏面に突出する。この状態で摘み片６７を操作して図上時計回りに９０°回動すると、図１７に示すように係止片６６ｂはベース板１２の裏面に係止して、払出ユニット１１が固定されると共に、球止片６５が図１６に示すように窓孔４８から供給通路９ａに突入して球止状態となる。そして、球払出装置１０を任意の取付け手段で取付部５２に取付けてカバー体４２で覆い、この状態で操作部材５０をさらに時計方向に９０°回動すると、係止片６６がカバー体４２に係止固定すると共に球止片６５が供給通路９ａから退避して、パチンコ球が流下可能となる。このとき、係止片６６ｂはベース板１２裏面に係止した状態にあるので、払出ユニット１１が外れることはない。
【００３９】
また、球払出装置１０を取外すには、操作部材５０を図上反時計回りに９０°回動して、カバー体４２との係合を解除し、カバー体４２を開放して球払出装置１０を取外す。このとき、球止片６５は供給通路９ａに突入してパチンコ球の流下を阻止しているので、球零れの心配はない。また、球払出装置１０の着脱時には、操作部材５０は図１６実線及び鎖線に示す位置でしか操作変位しないので、係止片６６ｂが開口１２ｂに合致して外れる位置となることはない。このように、操作部材５０で払出ユニット１１の取付けもできるようにすることで、組付けの容易化及びコストの低減化に大いに寄与する。なお、操作部材５０で球払出装置１０を固定するようにしてもよいのは勿論のこと、屈曲樋９をユニットとすることなく単体としてベース板１２又は前面枠２に取付けるようにしてもよい。また、屈曲樋９を別途ユニット板にユニット化する際にも適用することができる。
【００４０】
また、前記払出ユニット１１の係止具に傾斜樋の球止め機能を備えるようにしてもよい。この実施の形態において、図１８に示すように係止具１３はベース板１２側にガイド枠によりスライド式に変位自在に設けられ、払出ユニット１１側に係止具１３が係止する係止ピン２２が設けられる。前記係止具１３は板状をしており、球通路８ａ，８ａに進入する球止片８７，８７が設けられている。そして、前記球止め片８７は、係止凹部２１と係止ピン２２の係合を外して、払出ユニット１１を開放させる状態で傾斜樋８の終端下面の開口９０から突入するように設定されている。前記開口９０は、当然のことながら球通路８ａ，８ａを流下するパチンコ球に支障のない位置に開設されるのが好ましい。９１は、球止め突起８７の突入状態を位置決め保持する保持手段であり、この実施の形態において係止具１３に形成された係止凹部９１ａとベース板１２に設けられた係止ピンとで構成される。
【００４１】
常態では、図１８に示すように払出ユニット１１を係止具１３により係止して、球止片８７は傾斜樋８から後退した位置にある。そして、払出ユニット１１の交換又は配線の点検等により払出ユニット１１を開放する際に、係止具１３を操作して係止凹部２１と係止ピン２２との係合を解除し、払出ユニット１１が開放可能状態となると、球止片８７が図１８鎖線に示すように傾斜樋８に突入して球通路８ａのパチンコ球の流下を阻止する。この状態で払出ユニット１１を開放しても球止片８７で確実に傾斜樋８のパチンコ球を球止めしているため、球が零れて散乱することはない。このように、払出ユニット１１を係止する係止具１３により傾斜樋８の球止めを行うようにしたので、払出ユニット１１を開放する際には必然的に係止具１３を操作しなければならず、そのときには必ず傾斜樋８の球止め動作が行われるため、球止め及び球止め解除のし忘れをすることがない。また、払出ユニット１１を屈曲樋９の単体として、係止具１３により取付け及び球止めを行うようにしてもよい。なお、係止具１３は前記実施の形態に示した回動式としても可能である。例えば、屈曲樋９をスライド式（上下，左右，斜め方向を含む）に固定するようにして、係止具１３は屈曲樋９に係止してその外れる方向への移動を阻止する位置とその係止状態を解除する位置とに変位自在に設けられ、屈曲樋９の係止状態を解除する位置で球止片８７が傾斜樋８のパチンコ球を球止めするようにすればよい。
【００４２】
さらに、上記実施の形態に傾斜樋８の取付け機能を付加するようにしてもよい。具体的には、複数の係止凹部２１，２１を図１８の上下方向に長孔状に設け、係止具１３を傾斜樋８の球通路８ａに突入して球止めした状態で係止ピン２２と係止凹部２１，２１との係合が解除され、屈曲樋９が取外し可能な状態となる。そして、係止具１３を操作して下方に位置する係止凹部に係止すると、球止片８７，８７が球通路８ａからは退避するものの傾斜樋８下面からは後退せず、傾斜樋８の前後方向への移動を阻止し、取外し不能とし傾斜樋８の取付けの役割を果す。そして、係止具１３をさらに操作して、上方の係止凹部に係止すると、球止片８７，８７が傾斜樋８下面から後退して傾斜樋８が取外し可能となる。
【００４３】
なお、実施の形態において供給樋７を２条で流下するものとして説明したが、これに限定されるものではなく、３条以上の複数であっても単列で流下するものであってもよいのはいうまでもなく、さらに複列又は半複列で流下する幅広の通路としても、該幅広の通路を漸次絞るようにして整列させるようにしてもよい。また、球タンク６に貯留されたパチンコ球を傾斜樋８及び屈曲樋９を介して球払出装置１０に供給するようにしたが、パチンコ遊技機にパチンコ球を補給する供給樋としての補給樋から直接球払出装置１０に供給するようにしてもよい。このとき補給樋の下端で球止めをするようにすればよい。
【００４４】
図１９乃至図２５に球払出装置の取付けの他の実施の形態を示す。前記実施の形態と異なる点はユニット化していない球誘導樋７と球払出装置１０とを前面枠２の裏面に装着される機構板９５に設けるようにした点であり、同じ構成要素には同一符号を付して説明する。また、この実施の形態で示される球払出装置１０は、１条の通路部５４を有し、払出回転体５６を凹凸歯５９，６０が所定個数（図上６箇所）設けられるスプロケットとし、前記凸歯の形状は後続の凹歯５９に向かって軸心からの周端への距離が漸次減少すると共にその一部に球圧がほぼ軸心に向かうストップ領域を形成している。そして、常態で最先のパチンコ球が凹歯５９に受入れられると共に後続のパチンコ球が前記ストップ領域で受け止められるようにしている。図１９及び図２０に示す実施の形態において、供給樋としての球誘導樋７の下流端近傍に操作部材５０が機構板９５に対して直交する軸により回動自在に取着されている。前記操作部材５０は、供給通路９ａに進退する球止片６５と係止片６６と摘み片６７と後述する弾性係止片９６の作用を阻止する阻止片９７とを備えている。そして、操作部材５０の球止片６５を供給通路９ａに臨ませた状態で、球誘導樋７をガイドリブ９８に沿って上下方向にスライドすることにより該球誘導樋７に設けられる係止片９９が機構板９５に設けられる断面Ｌ型の係止部１００に係合して、球誘導樋７が機構板９５に仮着される。また、球払出装置１０には、下端にＬ字型の差込片８８が形成され、上部両側壁に係止突片１０１が突設されている。一方、機構板９５の球払出装置１０の取着部には、前記差込片８８が係止する透孔１０２が形成され、球払出装置１０側壁を支持するガイド壁１０３の基部に前記係止突片１０１の一方が係止する係止孔１０４が形成されると共に、他方の側壁に係止する弾性係止片９６を球払出装置１０の後面から臨むように設けている。上記球払出装置１０の取付けは、まず下端の差込片８８を透孔１０２に係止して、球払出装置１０の後面によって弾性係止片９６を押え撓ませながら係止突片１０１を側方の係止孔１０４に係止させる。すると、弾性係止片９６が復動して球払出装置１０の側壁に係止し、側方への移動が阻止され球払出装置１０が機構板９５に取着される。この状態で操作部材５０を回動させ、図２０に示すように阻止片９７を前記弾性係止片９６の下方に臨ませて、該弾性係止片９６の弾性による作用を阻止すると共に、係止片６６が他方の係止突片１０１に係止して球払出装置１０が固定される。同時に前記球止片６５が供給通路９ａから後退して、球払出装置１０にパチンコ球が補給される状態となる。このとき、操作部材５０の阻止片９７が機構板９５に突設された突片１０５に係止して球誘導樋７の上動も阻止される。このように、操作部材５０により球誘導樋７及び球払出装置１０の双方を機構板９５に固定係止することができる。次に、球払出装置１０を機構板９５から取外すには、操作部材５０を操作して球止片６５を供給通路９ａ内に臨ませて球止状態とすることで、操作部材５０による係止突片１０１の係止及び弾性係止片９６の撓み阻止が解除され、球払出装置１０を機構板９５から球零れを起こすこともなく取外すことができる。
【００４５】
図２１に示す実施の形態は、操作部材５０の回動方向を球止片６５が下方から供給通路９ａに臨むようにしている。図上操作部材５０は、球誘導樋７の流下端近傍に位置して機構板９５に設けられているが、球誘導樋７に設けるようにしてもよい。球払出装置１０は、Ｌ字型の差込片８８を透孔１０２に係止し、該差込片８８を支点として該球払出装置１０の両側面をガイド壁１０３に支持させるように後方に回動して該球払出装置１０の後面を機構板９５に当接させる。そして、この状態で前記操作部材５０を回動させて、係止片６６を球払出装置１０の前面に係止させることで、図２１実線に示すように球払出装置１０を機構板９５に取付けることができる。そして、同時に、球止片６５を供給通路９ａから後退させて、球払出装置１０にパチンコ球が供給される状態とすることができる。また、操作部材５０を球止状態と球払出装置１０の固定状態とに位置決めする突起等の位置決め手段を設けるのが好ましい。また、この実施の形態に示したように、差込片８８を支点として球払出装置１０を回動させて、係止片６６のみにより固定する場合には、係止片６６が固定していない状態で重心により球払出装置１０が誤って外れないように、球払出装置１０を機構板９５に弾性片等により仮止めするのが好ましい。なお、弾性片は球払出装置１０に設けるようにしても機構板９５側に設けるようにしてもよい。また、球払出装置１０を覆うカバー体によって該球払出装置１０を押えて仮止めするようにしてもよい。このとき、カバー体は球払出装置１０を囲うように枠状に壁を設けるようにしても、板状のカバー体に球払出装置１０に当接するリブを設けるようにしてもよい。なお、カバー体を前記操作部材５０により固定することで球払出装置１０を圧接固定するようにしてもよい。
【００４６】
図２２に示す実施の形態は、操作部材５０をスライドすることにより球止め及び球払出装置１０の固定を行うようにしている。操作部材５０は、供給樋９ａの流下端近傍の枠体１０６にスライド自在に設けられている。球払出装置１０は、下端にＬ字型の差込片８８を形成し、上部の一側に係止突片１０１を形成し、他側に鉤型の固定片１０７を設けている。好ましくは、固定片１０７に補強用のリブを設けるのがよい。機構板９５には、透孔１０２，ガイド壁１０３及び係止孔１０４を設けると共に、前記固定片１０７の位置決めをなすガイド部１０８を設けている。球払出装置１０の取付けは、同図鎖線に示す操作部材５０の球止状態で、差込片８８を透孔１０２に係止して、係止突片１０１を係止孔１０４に係止すると共に固定片１０７をガイド部１０８により位置決めし、ガイド壁１０３に球払出装置１０の側壁を支持させる。そして、操作部材５０を枠体１０６に沿ってスライドさせて係止片６６を固定片１０７に係止し、球払出装置１０が機構板９５に固着される。同時に、球止片６５が供給通路９ａから後退して、球払出装置１０にパチンコ球が供給される状態となる。また、球払出装置１０の取外しは、操作部材５０をスライドさせて、球止片６５を供給通路９ａ内に臨ませると共に、係止片６６を固定片１０７から外すことで、球零れを起こすことなく機構板５２から簡単に取外すことができる。
【００４７】
図２３乃至図２５はさらに他の実施の形態を示し、操作部材５０を球誘導樋７の流下端近傍にスライド及び回動自在に設けている。前記操作部材５０は、前記球払出装置１０を係止する位置とその係止状態を解除する位置とに変位自在に設けられ、前記係止状態が解除された状態で前記球誘導樋７内に突入して該球誘導樋７内のパチンコ球の流下を阻止する球止部６５が設けられている。具体的には、軸状の係止部６６の端部から先端にガイドピン１０９を設けた支持片１１０を垂下すると共に、該係止部６６に球止片６５を設けている。また、操作部６７は指で引っ掛けられるように環状に形成されている。球払出装置１０には、下端にＬ字状の差込片８８が設けられ、上部前面に前記係止部６６が係合する係合部１１１が凹状に形成され、後面に位置決め突起１１２が設けられている。また、球払出装置１０の後側壁の上端は、前側壁より低く形成されると共に球払出装置１０に導かれた最後尾のパチンコ球の球心より上方に位置している。また、機構板９５には前記差込片８８が係止する透孔１０２及び前記位置決め突起１１２が嵌合する開口１１３が形成され、球払出装置１０の側壁を保持するガイド壁１０３が立設されている。また、球誘導樋７には前記ガイドピン１０９が摺動するガイド溝１１４が形成されると共に、球止片６５が所定方向に進退するようにガイド突片１１５が設けられている。前記ガイド溝１１４の上下端は、縮径してガイドピン１０９が球止状態と解除状態で位置決めされる。この実施の形態の球払出装置１０の取付けは、図２５（イ）実線に示すように、操作部材５０の球止片６５が供給通路９ａ内に突入した球止状態で、球払出装置１０の差込片８８を透孔１０２に係止すると共に、該球払出装置１０の両側面をガイド壁１０３にガイドさせながら位置決め突起１１２を開口１１３に嵌合させる。この状態で、図２５（ロ）鎖線に示すように操作部６７を操作して操作部材５０をガイド溝１１４に沿って引き上げて、球止片６５を供給通路９ａから後退させる。そして、同図（ロ）実線に示すように操作部材５０を回動させて係止部６６を係合部１１１に係合させることで、球払出装置１０を機構板９５に固着することができる。また、球払出装置１０の取外しは、操作部材５０を回動操作して係合部１１から係止部６５を外すと共に、ガイド溝１１４に沿ってガイドピン１０９をスライドさせて、球止片６５を供給通路９ａ内に突出させて球止状態とする。そして、差込片８８と透孔１０２との係合を解除して球払出装置１０を機構板９５から取外すことができる。このとき、球払出装置１０の後側壁の上端が、前側壁より低く形成されると共に球払出装置１０に導かれた最後尾のパチンコ球の球心より上方に位置しているため、球払出装置１０を差込片８８を支点として回動させて機構板５２から取外す際に、該球払出装置１０が球誘導樋９の最先のパチンコ球に干渉してパチンコ球を上動させることもなく、しかも球払出装置１０内のパチンコ球は確実に後側壁に支持されて該球払出装置１０から零れ落ちることはない。この実施の形態において、好ましくは操作部材５０の係止状態から球止状態に移行する間、球払出装置１０が無用に外れないように該操作部材５０と干渉させるようにするのがよい。
【００４８】
なお、前記球払出装置１０の球通路５４形状をほぼ直線状としたが、好ましくは、凸歯６０で支持されるパチンコ球に対して後続のパチンコ球の球圧が軸心より上方に向かうように球通路５４を屈曲させて、球圧により払出回転体５６が回転しないようにするのがよい。また、球通路５４の屈曲方向は払出回転体５６の軸支方向に屈曲させるようにしてもよく、球圧が払出回転体５６に直接かかることなく球通路５４の側壁にかかるため、球圧による影響を受けにくくなる。
【００４９】
なお、実施例において、操作部材５０に球払出装置１０を係止する係止片６６と球止部６５を設けるようにしたが、少なくとも係止部材と球止部材とを別体で形成し、係止部材により球払出装置１０等の球切装置を固定した際に前記球止部材が供給通路９ａから後退して球払出装置１０にパチンコ球が供給され、係止部材の係止を解除するとその解除操作に連動して、球止部材が供給通路９ａに突入して球止めをするようにしてもよい。つまり、パチンコ球を供給する供給通路とその流下端に着脱自在に設けられる球切装置とを備え、前記供給通路の流下端近傍に該供給通路に進退してパチンコ球の流下を止める球止部材と、前記球切装置を係止する係止部材と、前記球止部材と係止部材を連繋する連繋手段とを設け、前記係止部材が球切り装置に係止したときに前記球止部材が供給通路から後退し、前記係止部材が球切装置の係止状態を解除したときに前記球止部材が供給通路内に突入するようにすればよい。なお、前記球切装置とは、打球供給皿のパチンコ球を発射装置に１個ずつ供給する打球供給装置であり、球タンク６に貯留されるパチンコ球を払出す球払出装置である。前記球止部材と係止部材との連繋は、例えば揺動又はスライド自在に設けた係止部材及び球止部材とを軸ピン及び長孔との連携により可動するようにすればよい。このとき、係止部材又は球止部材のいずれか一方に操作部６７を形成するようにして、いずれかを操作することによって互いに可動するようにすればよい。さらに、連繋手段として別体に形成した操作部材によって、前記球止部材及び係止部材を連繋させて、係止部材の係止状態と、球止部材の球止状態とに切替えるようにしてもよい。また、前記球止部材及び係止部材を打球供給皿の取付板（機構板９５）に設けても、球止部材を供給通路（球誘導樋７）の下端に設けて、係止部材を打球供給装置（球払出装置１０）に設けるようにしてもよい。なお、前記球止部材を供給通路に進退可能にフリーな状態で揺動自在に設け、前記係止部材が球切装置を固定した際に、球止部材が供給通路内に突入して供給通路のパチンコ球を球止めするようにしてもよい。このとき、球止部材を常に供給通路に進入させて、流下するパチンコ球が接触することによって、該球止部材が供給通路から後退するようにしても、自重により常に供給通路９ａから後退した状態として、係止部材が球切装置の係止を解除した際に、球止部材を供給通路に突入した状態に固定するようにすればよい。
【００５０】
また、実施例として球払出装置１０の機構板５２への着脱時に球誘導樋７の球止めを行うようにするようにしたが、球誘導樋７の傾斜樋８又は屈曲樋９の接続間に操作部材５０を設けて、該操作部材５０により屈曲樋９を固定させると共に該屈曲樋９の取外し時に傾斜樋８の終端のパチンコ球を球止めするようにしてもよい。
【００５１】
なお、当然のことながら球払出装置１０は、上記実施の形態に限られるものではなく、リードスクリュータイプの球払出装置であっても、パチンコ球の球荷重により払出されるのものであっても、ケース体に収納されたパチンコ球を払出す貯め切りのものであってもよい。また、実施の形態において、パチンコ遊技機として説明したが、パチンコ遊技機とは、パチンコ球を使用して遊技する遊技機であり、直接パチンコ球を遊技盤面に打ち込んで遊技をするものであっても、パチンコ球を賭数として回収して遊技する所謂「パチロット」であってもよい。
【産業上の利用可能性】
【００５２】
また、本願発明は、打球を発射レールに１個ずつ送り込む打球供給装置の取着構造にも適用でき、打球供給装置の取外し時に打球供給皿のパチンコ球を整列して導く整流通路の球止めをし得るようにすればよい。
【図面の簡単な説明】
【００５３】
【図１】パチンコ遊技機の裏面図である。
【図２】球タンクを取外した状態の要部斜視図である。
【図３】パチンコ遊技機の要部裏面図である。
【図４】球払出装置を取着した状態の要部分解斜視図である。
【図５】球払出装置部分の正面図である。
【図６】払出ユニットの要部断面図である。
【図７】球払出装置部分の正面断面図である。
【図８】他の実施の形態を示す球払出装置部分の正面図である。
【図９】図８の要部断面図である。
【図１０】図８の球払出装置の取付けを示す断面図である。
【図１１】払出ユニット部の要部断面図である。
【図１２】他の実施の形態を示す球払出装置部分の正面図である。
【図１３】図１２の球払出装置の取付けを示す断面図である。
【図１４】他の実施の形態の操作部材の斜視図である。
【図１５】他の実施の形態の要部分解斜視図である。
【図１６】図１５の正面図である。
【図１７】図１６の要部断面図である。
【図１８】係止具による球止めを示す要部斜視図である。
【図１９】他の実施の形態を示す球払出装置部分の正面図である。
【図２０】図１９の要部断面図である。
【図２１】他の実施の形態を示す球払出装置部分の正面図である。
【図２２】他の実施の形態を示す球払出装置部分の正面図である。
【図２３】他の実施の形態を示す球払出装置部分の正面図である。
【図２４】図２３の側断面図である。
【図２５】（イ），（ロ）は操作部材の作用説明図である。
【符号の説明】
【００５４】
７              球誘導樋（供給樋）
８              傾斜樋（球誘導樋）
９              屈曲樋（球誘導樋）
１０            球払出装置
４２            カバー体
５０            操作部材
６５            球止片（球止部）
６６            係止片（係止部）
６８            突子（位置決め手段）
６９            凹欠き（位置決め手段）
８６            位置決め片（位置決め手段）
【図１】
2004275744.tif 000003
【図２】
2004275744.tif 000004
【図３】
2004275744.tif 000005
【図４】
2004275744.tif 000006
【図５】
2004275744.tif 000007
【図６】
2004275744.tif 000008
【図７】
2004275744.tif 000009
【図８】
2004275744.tif 000010
【図９】
2004275744.tif 000011
【図１０】
2004275744.tif 000012
【図１１】
2004275744.tif 000013
【図１２】
2004275744.tif 000014
【図１３】
2004275744.tif 000015
【図１４】
2004275744.tif 000016
【図１５】
2004275744.tif 000017
【図１６】
2004275744.tif 000018
【図１７】
2004275744.tif 000019
【図１８】
2004275744.tif 000020
【図１９】
2004275744.tif 000021
【図２０】
2004275744.tif 000022
【図２１】
2004275744.tif 000023
【図２２】
2004275744.tif 000024
【図２３】
2004275744.tif 000025
【図２４】
2004275744.tif 000026
【図２５】
2004275744.tif 000027